(57)【特許請求の範囲】
【請求項１】
ケーブル接続箱（２２）等に複数形成されたケーブル導入穴（２４）内面と該ケーブル導入穴に挿入したケーブル（２１）外周面との間に介装されることによりケーブル導入穴を水密あるいは気密に封止する弾性体アダプタであるケーブル導入穴封止部材において、
ケーブル導入穴内面に当接される外周面（２５、５１）と、ケーブル導入穴の軸線と平行に貫設された複数のケーブル穴（２６、５２）と、該ケーブル穴から外周面にわたって貫設され、ケーブル穴の内外にケーブルを出し入れ可能とするスリット（２７、５３）とを有してなり、
前記複数のケーブル穴が、同一平面上に複数配列して形成されたケーブル導入穴の配列平面に対してほぼ垂直の方向に並ぶように配列され、
前記スリットは、該スリットを当該ケーブル穴内に延長した仮想延長が、このケーブル穴の軸線より、これに隣接するケーブル穴側にずれた位置となる向きで、ケーブル穴から外周面にわたって貫設され、
各ケーブル穴に形成されたスリットは、前記複数のケーブル穴の配列平面に対し垂直に延在することを特徴とするケーブル導入穴封止部材（２０、５０）。
【請求項２】
前記各ケーブル穴のスリットが、前記ケーブル導入穴封止部材の一側部に向けて互いに並行して形成されていることを特徴とする請求項１に記載のケーブル導入穴封止部材。
【請求項３】
３以上の前記ケーブル穴を一列に配列させて形成されており、
各ケーブル穴に係るスリット（５３）が、互いに並行して形成されていることを特徴とする請求項１または２記載のケーブル導入穴封止部材（５０）。
【請求項４】
請求項１〜３のうちいずれか１項に記載のケーブル導入穴封止部材において、ケーブルが挿入されないケーブル穴に該ケーブル穴を閉塞する閉塞栓（２８）が引き抜き可能に挿入されてなり、
前記閉塞栓は、円柱状の閉塞栓本体（２９）と、この閉塞栓本体の軸線方向複数箇所において該閉塞栓本体の外周方向に環状に突設されたフランジ（３０）と、前記閉塞栓本体の一側部に該閉塞栓本体の軸線方向に沿って延在され前記ケーブル穴内面に当接される突条（３１）とを有し、
スリットのケーブル穴に開口する開口部（３２）が、前記閉塞栓の前記突条によって閉塞されていることを特徴とするケーブル導入穴封止部材。
【請求項５】
ケーブル導入穴（２４）を複数有するケーブル接続箱であって、
ケーブル導入穴を水密あるいは気密に封止するケーブル導入穴封止部材（２０、５０）が、ケーブル導入穴内面と該ケーブル導入穴に挿入したケーブル（２１）外周面との間に介装され、
前記ケーブル導入穴封止部材は、ケーブル導入穴内面に当接される外周面（２５、５１）と、ケーブル導入穴の軸線と平行に貫設された複数のケーブル穴（２６、５２）と、該ケーブル穴から外周面にわたって貫設され、ケーブル穴の内外にケーブルを出し入れ可能とするスリット（２７、５３）とを有してなり、
前記ケーブル導入穴封止部材の複数のケーブル穴が、同一平面上に複数配列して形成されたケーブル導入穴の配列平面に対してほぼ垂直の方向に並ぶように配列され、
前記スリットは、該スリットを当該ケーブル穴内に延長した仮想延長が、このケーブル穴の軸線より、これに隣接するケーブル穴側にずれた位置となる向きで、ケーブル穴から外周面にわたって貫設され、
各ケーブル穴に形成されたスリットは、前記複数のケーブル穴の配列平面に対し垂直に延在することを特徴とするケーブル接続箱。
【発明の詳細な説明】
【０００１】
【発明の属する技術分野】
本発明は、ケーブル接続箱等に形成されたケーブル導入穴に使用されるケーブル導入穴封止部材、ケーブル接続箱に関する。
【０００２】
【従来の技術】
ケーブル接続箱等に形成されたケーブル導入穴は、ゴム等の弾性材料で形成された弾性体アダプタを嵌込むことにより水密あるいは気密に封止することが一般的である。
図１０は、従来例の弾性体アダプタ１を示す。
弾性体アダプタ１は、ゴム等で形成された二つ割り円盤状の部材であって、一体化した時に光ケーブル２を挟み込むようにして保持するケーブル穴３が中央部に２つ形成されている。
【０００３】
図１１は、従来の弾性体アダプタ４の他の例を示す。
図１１に示す弾性体アダプタ４は、ゴム等の弾性材料からなる一体物の円盤状の部材であって、中央部に２つのケーブル穴５が開口されている。これらケーブル穴５は、それぞれ弾性体アダプタ４の中心軸線と平行な軸線に沿って貫設されている。また、弾性体アダプタ４には、その外周面６から光ケーブル２をケーブル穴５に挿入するためのスリット７が形成されている。スリット７は、ケーブル穴５の径方向に延在し、外周面６に連通している。
【０００４】
【発明が解決しようとする課題】
ところで、前記弾性体アダプタ１、４には、一部のケーブル穴３、５における光ケーブル２を挿入作業や差し替え作業が他のケーブル穴３、５に挿入されている光ケーブル２に影響を与えやすく、作業性が劣るといった問題がある。
すなわち、図１０記載の弾性体アダプタ１の場合、弾性体アダプタ１を一旦分割し、再度一体化しなければ新規の光ケーブル２をケーブル穴３に挿入することができず、既設の光ケーブル２の保持を一旦解除して、既設の光ケーブル２の運用回線に影響を与えないように慎重に作業を進める必要がある。
また、図１１記載の弾性体アダプタ４の場合、スリット７がケーブル穴５の中心軸線を通る位置に形成されているために、ケーブル穴５に光ケーブル２を挿入するには、スリット７を開口させる時に弾性体アダプタ４の変位量が大きくなるために既設の光ケーブル２の変位量が大きくなるので、既設の光ケーブル２の通信に影響を与えずに作業を行うには手間がかかり、作業性が低下する。
【０００５】
図１２に示すように、直線上に配列状態に形成された３以上のケーブル穴８を有する弾性体アダプタ９においては、特に中央部のケーブル穴８について光ケーブル２を出し入れする場合に弾性体アダプタ９を変形させた上、他のケーブル穴８の既設の光ケーブル２を大きく外側に湾曲させる必要があるため、活線状態では通信に振動等の影響を与えないように慎重に作業を行わねばならず、作業性が低下するといった問題が生じていた。
また、弾性体アダプタ９に保持される計３本の光ケーブル２は、図１３に示す固定具１０によって一列に並列して同時に把持固定されるようになっているので、中央のケーブル穴８に対して光ケーブル２を出し入れする作業では外側のケーブル穴８の既設の光ケーブル２の固定状態を一旦解除して固定具１０から引き出す必要があり、作業に手間がかかる。
【０００６】
図１４に示すように、異なる複数のケーブル導入穴１１から光ケーブル２を導入した場合でも、合計３本以上の光ケーブル２を並列すると、並列の中央部で光ケーブル２の出し入れ作業を行う時には外側の光ケーブル２の把持を解除する必要がある。
【０００７】
また、弾性体アダプタには、空きのケーブル穴を閉塞する閉塞栓が取り出しにくくなり、光ケーブル２の増設等の作業性が低下するといった問題があった。
図１５は閉塞栓１２を示す。図において閉塞栓１２は、弾性体アダプタ１３のケーブル穴１４に適合する円筒面の外周面１５を有する円柱体であって、ケーブル穴１４に嵌込むことにより、該ケーブル穴１４の内面側に突設された図示しない突起が外周面１５に圧接されて、ケーブル穴１４を水密あるいは気密に封止するようになっている。この閉塞栓１２を使用した弾性体アダプタ１３は、スリット１７がケーブル穴１４の径方向に延在していることに起因して、ケーブル導入穴の密閉時の圧縮力がスリット１７のケーブル穴１４に開口する開口部１８が押し開かれる方向に作用してしまい、スリット１７に重点的に設けられるシール材（未加硫ゴムからなり、高い柔軟性を有する）がスリット開口部１８近傍から押し出されて、突起によって閉塞栓１２とケーブル穴１４との間に形成される間隙にフローしやすくなる。このため、後工程で閉塞栓１２を取り出す場合には、フローしたシール材が閉塞栓１２の引き抜き抵抗を生じて作業性が低下するケースがあった。
なお、ケーブル穴１４内面に突起が無い場合には、外周面に突起を有する閉塞栓を適用するが、この場合でも同様にシール材がフローしやすく、閉塞栓２８の取り出し作業性が低下する。
【０００８】
本発明は、前述の課題に鑑みてなされたもので、ケーブル接続箱等に導入する光ケーブルの増設や取り出しの作業性が向上するケーブル導入穴封止部材、ケーブル接続箱を提供することを目的とするものである。
【０００９】
【課題を解決するための手段】
請求項１記載のケーブル導入穴封止部材では、前記課題を解決するため、ケーブル接続箱等に複数形成されたケーブル導入穴内面と該ケーブル導入穴に挿入したケーブル外周面との間に介装されることによりケーブル導入穴を水密あるいは気密に封止する弾性体アダプタであるケーブル導入穴封止部材において、ケーブル導入穴内面に当接される外周面と、ケーブル導入穴の軸線と平行に貫設された複数のケーブル穴と、該ケーブル穴から外周面にわたって貫設され、ケーブル穴の内外にケーブルを出し入れ可能とするスリットとを有してなり、前記複数のケーブル穴が、同一平面上に複数配列して形成されたケーブル導入穴の配列平面に対してほぼ垂直の方向に並ぶように配列され、前記スリットは、該スリットを当該ケーブル穴内に延長した仮想延長が、このケーブル穴の軸線より、これに隣接するケーブル穴側にずれた位置となる向きで、ケーブル穴から外周面にわたって貫設され、各ケーブル穴に形成されたスリットが、前記複数のケーブル穴の配列平面に対し垂直に延在することを前記課題の解決手段とした。
請求項２記載のケーブル導入穴封止部材は、請求項１において、前記各ケーブル穴のスリットが、前記ケーブル導入穴封止部材の一側部に向けて互いに並行して形成されていることを特徴とする。
【００１０】
請求項３記載のケーブル導入穴封止部材は、請求項１または２において、３以上の前記ケーブル穴を一列に配列させて形成されており、各ケーブル穴に係るスリットが、互いに並行して形成されていることを特徴とする。
【００１１】
請求項４記載のケーブル導入穴封止部材では、請求項１〜３のうちいずれか１項において、ケーブルが挿入されないケーブル穴に該ケーブル穴を閉塞する閉塞栓が引き抜き可能に挿入されてなり、前記閉塞栓は、円柱状の閉塞栓本体と、この閉塞栓本体の軸線方向複数箇所において該閉塞栓本体の外周方向に環状に突設されたフランジと、前記閉塞栓本体の一側部に該閉塞栓本体の軸線方向に沿って延在され前記ケーブル穴内面に当接される突条とを有し、スリットのケーブル穴に開口する開口部が、前記閉塞栓の前記突条によって閉塞されているケーブル導入穴封止部材を前記課題の解決手段とした。
請求項５記載の発明は、ケーブル導入穴を複数有するケーブル接続箱であって、ケーブル導入穴を水密あるいは気密に封止するケーブル導入穴封止部材が、ケーブル導入穴内面と該ケーブル導入穴に挿入したケーブル外周面との間に介装され、前記ケーブル導入穴封止部材は、ケーブル導入穴内面に当接される外周面と、ケーブル導入穴の軸線と平行に貫設された複数のケーブル穴と、該ケーブル穴から外周面にわたって貫設され、ケーブル穴の内外にケーブルを出し入れ可能とするスリットとを有してなり、前記ケーブル導入穴封止部材の複数のケーブル穴が、同一平面上に複数配列して形成されたケーブル導入穴の配列平面に対してほぼ垂直の方向に並ぶように配列され、前記スリットは、該スリットを当該ケーブル穴内に延長した仮想延長が、このケーブル穴の軸線より、これに隣接するケーブル穴側にずれた位置となる向きで、ケーブル穴から外周面にわたって貫設され、各ケーブル穴に形成されたスリットが、前記複数のケーブル穴の配列平面に対し垂直に延在するケーブル接続箱を前記課題の解決手段とした。
【００１２】
本発明によれば、スリットの軸線がケーブル穴の軸線からずらされているので、ケーブル穴にケーブルを出し入れする際には、ケーブル導入穴の外にケーブル導入穴封止部材を取り出し、ケーブル導入穴封止部材の該当のケーブル穴近傍のみを変形させれば良いので、他のケーブル穴に挿入したケーブルに振動等の影響を与えること無く、作業を効率良く行うことができる。また、本発明は、光ケーブルに適用されるケーブル導入穴封止部材にあっては、ケーブル穴に光ケーブルを出し入れする作業で生じる振動等の影響が既設の光ケーブルに作用しないので、活線状態であっても該光ケーブルの通信に影響を与えること無く作業を行うことができる。
【００１３】
また、本発明によれば、同一のケーブル導入穴封止部材のケーブル穴が、ケーブル導入穴の配列とほぼ垂直の方向に配列されるので、外側のケーブルを取り出すこと無く内側のケーブルを出し入れすることが可能となる。
【００１４】
請求項３記載の発明によれば、ケーブル穴を閉塞する閉塞栓の突条が、スリットのケーブル穴内面に開口する開口部に当接されるので、ケーブル穴内面を閉塞栓に圧接させる圧縮力がケーブル導入穴封止部材に作用した時に、突部がスリット開口部近傍のシール材を押さえてフローすることを防止する。
【００１５】
【発明の実施の形態】
以下本発明の第１実施形態を、図２から図５を参照して説明する。図中符号２０は、光ケーブル２１の光接続部を収納するクロージャ２２に適用されるケーブル導入穴封止部材（以下「弾性体アダプタ」）である。前記弾性体アダプタ２０は、図１、図２に示すように、クロージャ２２の軸線方向（図１左右方向、図２紙面奥行き方向）両端部の端面部２３に開口されたケーブル導入穴２４に嵌込むことにより、該ケーブル導入穴２３を水密あるいは気密に封止可能な概略円盤状の部材である。この弾性体アダプタ２０は、ＣＲ（クロロプレンゴム）、ＮＢＲ（ニトリルゴム）、ＥＰＤＭ、熱可塑性エラストマー等でＪＩＳ規格Ａ指定の硬度計での計測による硬度３０〜８０度、好ましくは５５度程度に形成され、人間が手で弾性変形させることが可能な程度の柔軟性を有している。
【００１６】
以下、図３を参照して弾性体アダプタ２０の詳細を説明する。図において、弾性体アダプタ２０は、ケーブル導入穴２４内面に当接される円筒面状の外周面２５と、弾性体アダプタ２０をケーブル導入穴２４に嵌込んだ時に該ケーブル導入穴２４の軸線と平行となるように貫設されたケーブル穴２６と、該ケーブル穴２６から外周面２５にわたって貫設され、ケーブル穴２６の内外に光ケーブル２１を出し入れ可能とするスリット２７とを有している。外周面２５の軸線方向両端部には、弾性体アダプタ２０をケーブル導入口２４に対する弾性体アダプタ２０の抜け抵抗力を発生するリブ２５ａが突設されている。ケーブル穴２６は、２本形成され、弾性体アダプタ２０の断面直径方向に均等配置されている。スリット２７は、該スリット２７をケーブル穴２６内に延長した仮想延長がケーブル穴２６の軸線からずれた位置となる向きで、ケーブル穴２６から外周面２５にわたって貫設されており、各ケーブル穴２６の弾性体アダプタ２０断面方向中央部寄りの位置から外周面２５に連通している。また、各ケーブル穴２６に係るスリット２７は、閉塞時に互いに近い位置で並行する。
【００１７】
図４および図５は、弾性体アダプタ２０の空きのケーブル穴２６を閉塞する閉塞栓２８を示す。図において、閉塞栓２８は、円柱状の閉塞栓本体２９を有している。該閉塞栓本体２９の軸線方向複数箇所には、閉塞栓本体２９の外周方向に環状に延在するフランジ３０が突設されている。これらのフランジ３０は、閉塞栓２８をケーブル穴２６内に嵌合した時に、閉塞栓２８のケーブル穴２６に対する抜け抵抗力を発生する。閉塞栓本体２９の一側部には、その軸線方向に沿って延在する突条３１が突設されている。この突条３１は、スリット２７のケーブル穴２６に開口する開口部３２およびその周囲のケーブル穴２６内面に当接されることにより、スリット２７をシールする柔軟性の高いシール材（図示せず）を押さえてケーブル穴２６側にフローすることを防止するようになっている。閉塞栓本体２９の長手方向両端部には、ケーブル穴２６に対する抜け抵抗力を発生するリブ３３が突設されている。
【００１８】
次に、クロージャ２２を図２および図１を参照して説明する。図において、クロージャ２２は、二つ割り円筒状のスリーブ３４と、該スリーブ３４の軸線方向両端面を閉塞する端面部２３とを有し、これらスリーブ３４と端面部２３とによって、水密あるいは気密な内部空間を形成可能になっている。クロージャ２２の内部には、ケーブル導入穴２４を介して導入された光ケーブル２１のシース部分を把持固定する把持金具３５をその長手方向両端部に固定された連結棒３６が収納される。クロージャ２２は、請求項１、４記載のケーブル接続箱に相当する。
【００１９】
連結棒３６は、クロージャ２２の軸線方向とほぼ等しい寸法を有する長尺の部材であって、クロージャ２２のの軸線方向に沿って配置される。把持金具３５は、それぞれクロージャ２２の軸線方向両端部に位置し、端面部２３の近傍で光ケーブル２１を把持固定するようになっている。連結棒３６の把持金具３５より長手方向中央部寄りには、把持金具３５によって把持固定した光ケーブル２１の端末に露出させたテンションメンバ３７を把持固定するテンションメンバ固定金具３８が固定されている。また、連結棒３６の長手方向中央部には、把持金具３５およびテンションメンバ固定金具３８によって固定された光ケーブル２１の端末から引き出された光ファイバ心線３９同士の図示しない光接続部を収納する外観薄板状の収納トレー４０が多段に積層されている。前記光接続部としては、融着接続部やコネクタ接続部が適用される。なお、スリーブ３４は、該スリーブ３４を一体化する締結具４１を操作して締結力を調整することにより、開閉可能になっている。
【００２０】
図２に示すように、端面部２３には、２つのケーブル導入穴２４が並列に開口されており、一方のケーブル導入穴２４にはケーブル穴を一つ有する弾性体アダプタ４２が嵌込まれ、他方のケーブル導入穴２４には本実施形態の弾性体アダプタ２０が嵌込まれるようになっている。これらケーブル導入穴２４は、クロージャ２２を設置した時に水平（図２左右方向）な同一配列平面上に位置するようになっている。また、弾性体アダプタ２０は、ケーブル導入穴２４の配列平面に対して垂直の方向にケーブル穴２６が配列されるようにして嵌込まれる。これら弾性体アダプタ２０、４２を介してクロージャ２２内に導入される光ケーブル２１は全て上下方向（図１、図２上下）で異なる位置にある。なお、ケーブル導入穴２４の内面には、弾性体アダプタ２０の外周面２５との間をシールするための図示しないシール材が充填される。
端面部２３の上部にはガスバルブ４３が設けられ、下部にはアース端子４４が設けられている。
【００２１】
図６は、把持金具３５を示す。
図において、把持金具３５は、弾性体アダプタ４２からクロージャ２２内に導入された光ケーブル２１を連結棒３６に固定されたＩ字状の把持金具本体４５の一側部（図６左側）に設けられた一対の鬼目可動体４６の間に把持固定し、弾性体アダプタ２０を介して導入される光ケーブル２１を把持金具本体４５の他側部（図６右側）に設けられた２基の把持機構４７によって把持固定する構成になっている。各把持機構４７は、把持金具本体４５の中央部から他側部に突設された鬼目プレート４８と、該鬼目プレート４８に対して接近離間する鬼目可動体４９との間に光ケーブル２１を把持固定するようになっている。把持金具３５に把持固定した光ケーブル２１は、鬼目可動体４６、４９を移動させることにより把持解除することも可能である。
【００２２】
以下、本実施形態の作用および効果を説明する。前記弾性体アダプタ２０は、光ケーブル２１をスリット２７を通過させることによりケーブル穴２６に出し入れする構成になっているが、この時、スリット２７は該スリット２７をケーブル穴２６内に延長した仮想延長がケーブル穴２６の軸線からずれた位置となる向きで、ケーブル穴２６から外周面２５にわたって貫設されているので、作業対象のケーブル穴２６近傍のみ弾性体アダプタ２０を変形させるだけで作業することができる。すなわち、スリット２７に光ケーブル２１を通過させるためにスリット２７を開放するには、弾性体アダプタ２０の該当ケーブル穴２６を介してスリット２７と対向する部分からスリット２７までの部分を変形させる。こうすることにより、弾性体アダプタ２０の他のケーブル穴２６側の部分を変形させること無くスリット２７を開閉することができ、既設の光ケーブル２１に振動等の影響を与えないで作業を行うことができる。したがって、目的の光ケーブル２１について作業は、既設の光ケーブル２１が活線状態であっても通信に影響を与えること無く効率良く行うことができる。
【００２３】
また、弾性体アダプタ２０は、スリーブ３４を締結した時にケーブル穴２６に挿入した光ケーブル２１と圧接することによりケーブル穴２６を封止するようになっている。この時、スリット２７は該スリット２７をケーブル穴２６内に延長した仮想延長がケーブル穴２６の軸線からずれた位置となる向きで、ケーブル穴２６から外周面２５にわたって貫設されていることにより、弾性体アダプタ２０のケーブル穴２６近傍に作用する圧縮力がスリット開口部３２が閉じる方向に働き、ケーブル穴２６を効率良く封止することができる。空きのケーブル穴２６に閉塞栓２８を嵌込んで弾性体アダプタ２０を締めた場合では、特に、突条３１によって、スリット開口部３２近傍のシール材がケーブル穴２６の内面側にフローすることが防止されるので、ケーブル穴２６を確実に封止することができる。シール材のフローが防止されると、閉塞栓２８にシール材が付着することも無くなり、ケーブル穴２６から閉塞栓２８を引き抜く時の作業性が向上する。
【００２４】
また、クロージャ２２内に導入される光ケーブル２１が全て上下方向で異なる位置になることから、把持金具３５による光ケーブル２１の把持固定位置やテンションメンバ固定金具３８によるテンションメンバ３７の固定位置が光ケーブル２１毎に上下方向にずれるので、これら把持金具３５やテンションメンバ固定金具３８における光ケーブル２１の固定および固定解除作業を他の光ケーブル２１と干渉すること無く行うことができ、作業性が向上するとともに、既設の光ケーブル２１の固定を解除したり湾曲させて作業の干渉を回避させたりする必要が無いので、活線状態においても通信に影響を与えること無く作業を行うことができる。
【００２５】
以下、本発明のケーブル導入穴封止部材の第２実施形態を図７から図９を参照して説明する。図７において、弾性体アダプタ５０は、第１実施形態記載の弾性体アダプタ２０と同様の材料からなる概略円柱状に形成されており、円筒面状の外周面５１と、該外周面５１の軸線と平行に貫設された３個のケーブル穴５２と、これら各ケーブル穴５２から外周面５１にわたって貫設されたスリット５３とを有している。外周面５１の軸線方向両端部には、端面部２３のケーブル導入穴２４に対する抜け抵抗力を発生するリブ５４が突設されている。各スリット５３は、該スリット５３をケーブル穴５２内に延長した仮想延長がケーブル穴５２の軸線からずれた位置となる向きで、ケーブル穴５２から外周面５１にわたって貫設されその軸線がケーブル穴５２の軸線からずらされており、しかも互いに並行して弾性体アダプタ５０の一側部に開口している。
【００２６】
図８は、弾性体アダプタ５０を端面部２３のケーブル導入穴２４に嵌込んだ状態を示す。
弾性体アダプタ５０は、図中鎖線で示すように、ケーブル導入穴２４の配列平面に垂直な方向にケーブル穴５２が配列する向きで嵌込まれる。
図９は、クロージャ内に導入された光ケーブル２１のシース部分を把持固定する把持金具５５を示す。この把持金具５５は、連結棒３６に固定されるＩ字状の把持具本体５６を有し、ケーブル穴５２を一つのみ有する弾性体アダプタ５７を介して導入された光ケーブル５２を該把持具本体５６の一側部（図８左側）に設けた一対の鬼目可動体５８の間に把持固定し、弾性体アダプタ５０を介して導入された計３本の光ケーブル２１を把持具本体５６の他側部に設けられた計３基の把持機構５９、６０、６１によって把持固定するようになっている。鬼目可動体５８は、把持具本体５６の一側部に突出する一対のフランジ部６２にそれぞれ螺合されて対向配置されており、回転させることにより接近離間して光ケーブル２１をその径に対応して把持固定できるようになっている。
【００２７】
把持具本体５６の他側部に突出する一対のフランジ部６３の近傍には、第１、第２の把持機構５９、６０が設けられている。これら第１、第２の把持機構５９、６０は、フランジ部６３に螺合された鬼目可動体６４と、把持具本体５６のウェブ６５に固定された鬼目プレート６６との間で光ケーブル２１を把持固定する構成になっている。第３の把持機構６１は、ウェブ６５の中央部から他側部に突設された支持体６７の先端に螺合された鬼目可動体６８と、支持体６７の中央部に固定された鬼目プレート６９との間に光ケーブル２１を把持固定するようになっている。支持体６７とその下側（図８下側）の鬼目プレート６６との間には、第３の把持機構６１に把持固定される光ケーブル２１が通過可能な程度のクリアランスが介在されている。
【００２８】
これら第１から第３の把持機構５９、６０、６１は上下方向（図８、図９上下）にずらして設けられている上、しかも、図９に示すように、第３の把持機構６１が第１、第２の把持機構５９、６０よりもクロージャの中央部（図中右側）方向にずらして設けられているので、第３の把持機構６１によって把持固定される光ケーブル２１が第１、第２の把持機構５９、６０およびこれらに把持固定された既設の光ケーブル２１と干渉すること無く、目的の布設位置に出し入れすることができるようになっている。また、これら把持機構５９、６０、６１によって把持固定された光ケーブル２１の端末に露出させたテンションメンバ３７は、連結棒３６に固定されたテンションメンバ固定金具７０の上下方向３カ所に着脱可能にネジ止めされる固定板７１によってそれぞれ固定されるようになっている。これら固定板７１の取り付け位置は上下方向にずらされているので、いずれの固定板７１においても、テンションメンバ３７の着脱作業を他の固定板７１等と干渉すること無く効率行うことができる。
なお、これら第１から第３の把持機構５９、６０、６１およびテンションメンバ固定金具７０における作業は、把持具本体５６の一側部の光ケーブル２１との干渉を回避できることは言うまでもない。
【００２９】
以下、本実施形態の弾性体アダプタ５０の作用および効果を説明する。
前記弾性体アダプタ５０によれば、ケーブル穴５２に順次光ケーブル２１を挿入していくことにより、既設の光ケーブル２１に振動等の影響を与えること無く、効率良く光ケーブル２１の増設作業を行うことができる。
すなわち、弾性体アダプタ５０を介してクロージャに導入される光ケーブル２１は、弾性体アダプタ５０に配列された一端のケーブル穴５２から他端のケーブル穴５２に順次挿入して増設されるようになっている。例えば、図８において最下部にあるケーブル穴５２に最初の光ケーブル２１を挿入し、中央のケーブル穴５２に２本目の光ケーブル２１を挿入する。２本目以降の光ケーブル２１の挿入作業は、弾性体アダプタ５０の目的のケーブル穴５２に開口するスリット５３より上側の部分をスリット５３を開くようにして変形させるので、弾性体アダプタ５０の既設の光ケーブル２１が挿入されているケーブル穴５２近傍を変形させることが無い。こうすることにより、既設の光ケーブル２１に振動等の影響を与えること無く、多数の光ケーブル２１を順次クロージャに導入することができる。
【００３０】
また、各ケーブル穴５２に係るスリット５３は、ケーブル穴５２の中心軸線を通らないように形成されているため、開閉動作を行っても再度密閉時に弾性体アダプタ５０に作用する圧縮力がスリット５３が閉塞する方向に働く。したがって、ケーブル穴５２には何度でも光ケーブル２１を出し入れすることができ、しかも、常に良好な封止状態を維持することができる。
また、各スリット５３が、いずれもケーブル穴５２の配列平面に対して垂直の同方向に延在しているので、複数の光ケーブル２１の増設作業を連続して行う時等に便利である。
【００３１】
また、中央のケーブル穴５２から光ケーブル２１を取り出す場合には、上下いずれか一方の既設の光ケーブル２１を一旦取り出した後、中央の光ケーブル２１を取り出す。
すなわち、図８における最下段の光ケーブル２１を先行して取り外す場合には、最下段の光ケーブル２１に続いて中央の光ケーブル２１を取り外し、最下段の光ケーブル２１を元に戻す。最下段の光ケーブル２１のケーブル穴５２への出し入れは、弾性体アダプタ５０の該ケーブル穴５２に係るスリット５３から下側の部分のみを変形してスリット５３を開閉するので、他の光ケーブル２１に振動等の影響を与えること無く作業を進めることができる。また、中央の光ケーブル２１の取り出し作業は、弾性体アダプタ５０の中央のケーブル穴５２に係るスリット５３から下側の部分のみをスリット５３が開放するように変形させる。この時、弾性体アダプタ５０の変形は、最下段の光ケーブル２１が取り出したが完了後であるので、最下段の光ケーブル２１に与える影響を考慮する必要が無く、効率良く作業を進めることができる。また、最上段の光ケーブル２１は、定位置で把持されたままなので、これらの作業の影響を全く受けない。
なお、把持金具５５やテンションメンバ固定金具７０においても、中央のケーブル穴５２に挿入した光ケーブル２１を他の光ケーブル２１に影響を与えること無く取り出すことができるので、既設の光ケーブル２１の通信を確実に維持することができる。
【００３２】
なお、弾性体アダプタに形成するケーブル穴は、４個以上とすることも可能である。
また、本発明のケーブル導入穴封止部材は、同一の端面部に開口されている複数のケーブル導入穴に適用することも可能である。この場合、各ケーブル導入穴封止部材のケーブル穴の配列方向を、ケーブル導入穴の配列平面と垂直にする。
本発明のケーブル導入穴封止部材は、光ケーブル２１以外、メタルケーブル用のクロージャ等の各種構造物に形成されたケーブル導入穴に適用することが可能である。
【００３３】
【発明の効果】
以上説明したように、本発明によれば、スリットが該スリットをケーブル穴内に延長した仮想延長がケーブル穴の軸線からずれた位置となる向きで、ケーブル穴から外周面にわたって貫設されているため、ケーブル導入穴封止部材の該当のケーブル穴近傍のみを変形させるだけで、他のケーブル穴に挿入したケーブルに振動等の影響を与えること無く、目的のケーブル穴にケーブルを出し入れする作業を効率良く行うことができる。また、弾性体アダプタに圧縮力が作用した場合には、該圧縮力がケーブル穴近傍でスリットを閉じる方向に働くので、ケーブル穴を確実に封止することができるといった優れた効果を奏する。
【００３４】
また、本発明によれば、ケーブル導入穴封止部材のケーブル穴に挿入した複数本のケーブルの配列方向をケーブル導入穴の配列平面と一致させないことにより、各ケーブル穴におけるケーブルの出し入れ作業が既設のケーブルや該ケーブルを把持固定する部品等と干渉することを回避できるので、ケーブルの出し入れの作業性が向上するといった優れた効果を奏する。
【００３５】
請求項３記載の発明によれば、ケーブル穴を閉塞する閉塞栓の突条が、スリットのケーブル穴内面に開口する開口部を閉塞して、スリット開口部近傍のシール材を押さえてフローすることを防止することにより、後工程でケーブル穴から閉塞栓を抜き出す作業の能率が向上するといった優れた効果を奏する。
【図面の簡単な説明】
【図１】  本発明の第１実施形態の弾性体アダプタを適用したクロージャを示す部分破断正面図である。
【図２】  図１のクロージャを示す側面図である。
【図３】  本発明の第１実施形態の弾性体アダプタを示す斜視図である。
【図４】  図３の弾性体アダプタのケーブル穴を閉塞する閉塞栓を示す斜視図である。
【図５】  図４の閉塞栓の作用を示す斜視図である。
【図６】  図２のクロージャに適用される把持金具を示す側断面図である。
【図７】  本発明の第２実施形態の弾性体アダプタを示す斜視図である。
【図８】  図７の弾性体アダプタを適用したクロージャの把持金具を示す側断面図である。
【図９】  図７の弾性体アダプタを適用したクロージャの把持金具およびテンションメンバ固定金具を示す要部拡大正面図である。
【図１０】  従来例の弾性体アダプタを示す図であって、二つ割りタイプの弾性体アダプタを示す斜視図である。
【図１１】  従来例の弾性体アダプタを示す図であって、スリットを有する弾性体アダプタを示す図である。
【図１２】  従来例の弾性体アダプタを示す図であって、３個以上のケーブル穴を有する弾性体アダプタを示す正面図である。
【図１３】  図１２の弾性体アダプタのケーブル穴に挿入される光ケーブルを把持固定する固定具を示す正面図である。
【図１４】  本発明が解決しようとする課題を示す図であって、複数のケーブル導入穴から合計３本以上の光ケーブルを導入した例を示す正面図である。
【図１５】  本発明が解決しようとする課題を示す図であって、従来例の弾性体アダプタのケーブル穴を閉塞する閉塞栓を示す斜視図である。
【符号の説明】
２０…ケーブル導入穴封止部材（弾性体アダプタ）、２１…ケーブル（光ケーブル）、２２…ケーブル接続箱（クロージャ）、２４…ケーブル導入穴、２５…外周面、２６…ケーブル穴、２７…スリット、２８…閉塞栓、３１…突部（突条）、３２…開口部、５０…ケーブル導入穴封止部材（弾性体アダプタ）、５１…外周面、５２…ケーブル穴基端部、５３…スリット。
【図１】
0004030611.tif 000002
【図２】
0004030611.tif 000003
【図３】
0004030611.tif 000004
【図４】
0004030611.tif 000005
【図５】
0004030611.tif 000006
【図６】
0004030611.tif 000007
【図７】
0004030611.tif 000008
【図８】
0004030611.tif 000009
【図９】
0004030611.tif 000010
【図１０】
0004030611.tif 000011
【図１１】
0004030611.tif 000012
【図１２】
0004030611.tif 000013
【図１３】
0004030611.tif 000014
【図１４】
0004030611.tif 000015
【図１５】
0004030611.tif 000016